【事件の表示】
　特許第６３７８６１７号発明「スクラップバケット」の特許異議申立事件について、次のとおり決定する。
【結　論】
　特許第６３７８６１７号の特許請求の範囲、明細書を、訂正請求書に添付された訂正特許請求の範囲、訂正明細書のとおり、訂正後の請求項１−８について訂正することを認める。 
　特許第６３７８６１７号の請求項１及び２に係る特許についての本件特許異議の申立を却下する。　
【理　由】
第１　手続の経緯 
　特許第６３７８６１７号の請求項１ないし４に係る特許についての出願は、平成２６年１１月１９日の出願であって、平成３０年８月３日にその特許権の設定登録がなされ、同年８月２２日に特許掲載公報が発行され、その後、平成３１年２月７日に、請求項１及び２に係る特許に対し、特許異議申立人　中西恒裕　より特許異議の申立てがされたので、令和１年５月１３日に取消理由を通知したところ、令和１年６月１９日に訂正請求（以下、「本件訂正請求」という。）がなされると共に意見書が提出されたものである。  
第２　訂正請求について 
　以下で、下線部は訂正箇所を、「・・・」は記載の省略を示す。
１．訂正の内容 
　本件訂正請求による訂正の内容は以下のア〜ケのとおりである。
ア　訂正事項１
　訂正前の特許請求の範囲の請求項１を訂正後に削除する。　
イ　訂正事項２
　訂正前の特許請求の範囲の請求項２を訂正後に削除する。
ウ　訂正事項３
　訂正前の請求項３に「前記ロックピンのガイド孔のうち、上に重ねられたガイド孔の縦断面がすり鉢形のガイド孔であることを特徴とする請求項１又は２に記載のスクラップバケット。」とあるうち、訂正前の請求項１を引用するものについて、独立形式に改めて、
「【請求項３】
　
電気炉へスクラップを搬送して装入するスクラップバケットであって、バケット本体の下部に二分割により開閉するゲートを備えたスクラップバケットにおいて、
　二分割された前記ゲートをロックするためのゲートロックピンが、ゲートを開閉するゲート開閉用吊りハンガーからゲートロックピン吊り下げチェーンで吊り下げられ、
　前記各ゲートのそれぞれには、ゲートが閉の状態の時に上下に重なるとともに前記ゲートロックピンが挿入されて閉ロックが可能なガイド孔が設けられ、
　前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであり、
前記ロックピンのガイド孔のうち、上に重ねられたガイド孔の縦断面がすり鉢形のガイド孔であることを特徴とするスクラップバケット。」に訂正する。
エ　訂正事項４
　訂正前の請求項３に「前記ロックピンのガイド孔のうち、上に重ねられたガイド孔の縦断面がすり鉢形のガイド孔であることを特徴とする請求項１又は２に記載のスクラップバケット。」とあるうち、訂正前の請求項２を引用しさらに訂正前の請求項１を引用するものについて、独立形式に改めて、
「【請求項４】
　
電気炉へスクラップを搬送して装入するスクラップバケットであって、バケット本体の下部に二分割により開閉するゲートを備えたスクラップバケットにおいて、
　二分割された前記ゲートをロックするためのゲートロックピンが、ゲートを開閉するゲート開閉用吊りハンガーからゲートロックピン吊り下げチェーンで吊り下げられ、
　前記各ゲートのそれぞれには、ゲートが閉の状態の時に上下に重なるとともに前記ゲートロックピンが挿入されて閉ロックが可能なガイド孔が設けられ、
　前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであり、
　前記ゲート開閉用吊りハンガーから吊り下げられたゲートロックピン吊り下げチェーンをガイドするガイド孔を有するゲートロックピン吊り下げチェーンガイドが、バケット本体のゲートロックピンが挿入されて閉ロックが可能なガイド孔の直上に設けられ、
前記ロックピンのガイド孔のうち、上に重ねられたガイド孔の縦断面がすり鉢形のガイド孔であることを特徴とするスクラップバケット。」に訂正する。
オ　訂正事項５
　訂正前の請求項４に「前記ロックピンの下端に前記ガイド孔にガイドされるガイドチェーンが連結されていることを特徴とする請求項１、２又は３に記載のスクラップバケット。」とあるうち、訂正前の請求項１を引用するものについて、独立形式に改めて、
「
【請求項５】
　
電気炉へスクラップを搬送して装入するスクラップバケットであって、バケット本体の下部に二分割により開閉するゲートを備えたスクラップバケットにおいて、
　二分割された前記ゲートをロックするためのゲートロックピンが、ゲートを開閉するゲート開閉用吊りハンガーからゲートロックピン吊り下げチェーンで吊り下げられ、
　前記各ゲートのそれぞれには、ゲートが閉の状態の時に上下に重なるとともに前記ゲートロックピンが挿入されて閉ロックが可能なガイド孔が設けられ、
　前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであり、
前記ロックピンの下端に前記ガイド孔にガイドされるガイドチェーンが連結されていることを特徴とするスクラップバケット。」に訂正する。
カ　訂正事項６
　訂正前の請求項４に「前記ロックピンの下端に前記ガイド孔にガイドされるガイドチェーンが連結されていることを特徴とする請求項１、２又は３に記載のスクラップバケット。」とあるうち、訂正前の請求項２を引用しさらに訂正前の請求項１を引用するものについて、独立形式に改めて、
「【請求項６】
　
電気炉へスクラップを搬送して装入するスクラップバケットであって、バケット本体の下部に二分割により開閉するゲートを備えたスクラップバケットにおいて、
　二分割された前記ゲートをロックするためのゲートロックピンが、ゲートを開閉するゲート開閉用吊りハンガーからゲートロックピン吊り下げチェーンで吊り下げられ、
　前記各ゲートのそれぞれには、ゲートが閉の状態の時に上下に重なるとともに前記ゲートロックピンが挿入されて閉ロックが可能なガイド孔が設けられ、
　前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであり、 
　前記ゲート開閉用吊りハンガーから吊り下げられたゲートロックピン吊り下げチェーンをガイドするガイド孔を有するゲートロックピン吊り下げチェーンガイドが、バケット本体のゲートロックピンが挿入されて閉ロックが可能なガイド孔の直上に設けられ、
　前記ロックピンの下端に前記ガイド孔にガイドされるガイドチェーンが連結されていることを特徴とするスクラップバケット。」に訂正する。
キ　訂正事項７
　訂正前の請求項４に「前記ロックピンの下端に前記ガイド孔にガイドされるガイドチェーンが連結されていることを特徴とする請求項１、２又は３に記載のスクラップバケット。」とあるうち、訂正前の請求項３を引用しさらに訂正前の請求項１を引用するものについて、独立形式に改めて、
「【請求項７】
　
電気炉へスクラップを搬送して装入するスクラップバケットであって、バケット本体の下部に二分割により開閉するゲートを備えたスクラップバケットにおいて、
　二分割された前記ゲートをロックするためのゲートロックピンが、ゲートを開閉するゲート開閉用吊りハンガーからゲートロックピン吊り下げチェーンで吊り下げられ、
　前記各ゲートのそれぞれには、ゲートが閉の状態の時に上下に重なるとともに前記ゲートロックピンが挿入されて閉ロックが可能なガイド孔が設けられ、
　前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであり、 
　前記ロックピンのガイド孔のうち、上に重ねられたガイド孔の縦断面がすり鉢形のガイド孔であり、
　前記ロックピンの下端に前記ガイド孔にガイドされるガイドチェーンが連結されていることを特徴とするスクラップバケット。」に訂正する。
ク　訂正事項８
　訂正前の請求項４に「前記ロックピンの下端に前記ガイド孔にガイドされるガイドチェーンが連結されていることを特徴とする請求項１、２又は３に記載のスクラップバケット。」とあるうち、訂正前の請求項３を引用し訂正前の請求項２を引用し、さらに訂正前の請求項１を引用するものについて、独立形式に改めて、
「【請求項８】
　
電気炉へスクラップを搬送して装入するスクラップバケットであって、バケット本体の下部に二分割により開閉するゲートを備えたスクラップバケットにおいて、
　二分割された前記ゲートをロックするためのゲートロックピンが、ゲートを開閉するゲート開閉用吊りハンガーからゲートロックピン吊り下げチェーンで吊り下げられ、
　前記各ゲートのそれぞれには、ゲートが閉の状態の時に上下に重なるとともに前記ゲートロックピンが挿入されて閉ロックが可能なガイド孔が設けられ、
　前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであり、 
　前記ゲート開閉用吊りハンガーから吊り下げられたゲートロックピン吊り下げチェーンをガイドするガイド孔を有するゲートロックピン吊り下げチェーンガイドが、バケット本体のゲートロックピンが挿入されて閉ロックが可能なガイド孔の直上に設けられ
　前記ロックピンのガイド孔のうち、上に重ねられたガイド孔の縦断面がすり鉢形のガイド孔であり、
　前記ロックピンの下端に前記ガイド孔にガイドされるガイドチェーンが連結されていることを特徴とするスクラップバケット。」に訂正する。
ケ　訂正事項９
　訂正前の本件明細書【００１１】の「・・・二分割された前記ゲートをロックするためのゲートロックピンが、ゲートを開閉するゲート開閉用吊りハンガーからゲートロックピン吊り下げチェーン
が
で
２．訂正の目的の適否、新規事項の有無、及び特許請求の範囲の拡張・変更の存否、一群の請求項、独立特許要件について
ア　訂正事項１について
　訂正事項１は、訂正前の請求項１を削除するものであるから、特許請求の範囲の減縮を目的とするものであり、また、願書に添付した明細書、特許請求の範囲又は図面に記載した事項の範囲内の訂正であって新たな技術的事項を追加するものでなく、さらに、実質上特許請求の範囲を拡張し、又は変更するものに該当しない。
　したがって、訂正事項１は、特許法第１２０条の５第２項ただし書き第１号の規定に適合し、特許法第１２０条の５第９項で準用する第１２６条第５、６項の規定に適合する。
イ　訂正事項２について
　訂正事項２は、訂正前の請求項２を削除するものであるから、特許請求の範囲の減縮を目的とするものであり、また、願書に添付した明細書、特許請求の範囲又は図面に記載した事項の範囲内の訂正であって新たな技術的事項を追加するものでなく、さらに、実質上特許請求の範囲を拡張し、又は変更するものに該当しない。
　したがって、訂正事項２は、特許法第１２０条の５第２項ただし書き第１号の規定に適合し、特許法第１２０条の５第９項で準用する第１２６条第５、６項の規定に適合する。
ウ　訂正事項３について
　（ア）訂正事項３は、訂正前の請求項３が請求項１又は請求項２の記載を引用する記載であるところ、請求項１を引用するものについて請求項間の引用関係を解消して、独立形式の請求項へ改めるための訂正であるので、「他の請求項の記載を引用する請求項の記載を当該他の請求項の記載を引用しないものとすること」に相当する。
　（イ）また、訂正事項３において、訂正前の「二分割された前記ゲートをロックするためのゲートロックピンが、ゲートを開閉するゲート開閉用吊りハンガーからゲートロックピン吊り下げチェーン
が
で
　（ウ）さらに、訂正事項３は、請求項間の引用関係を解消して、独立形式の請求項へ改めるための訂正であり、また、明瞭でない記載の釈明のための訂正であるから、願書に添付した明細書、特許請求の範囲又は図面に記載した事項の範囲内の訂正であって新たな技術的事項を追加するものでなく、さらに、カテゴリーや対象、目的を変更するものではないので、実質上特許請求の範囲を拡張し、又は変更するものに該当しない。
　（エ）したがって、訂正事項３は、特許法第１２０条の５第２項ただし書き第３、４号の規定に適合し、特許法第１２０条の５第９項で準用する第１２６条第５、６項の規定に適合する。
エ　訂正事項４について
　（ア）訂正事項４は、訂正前の請求項３が請求項１又は請求項２の記載を引用する記載であるところ、訂正前の請求項２を引用しさらに訂正前の請求項１を引用するものについて請求項間の引用関係を解消して、独立形式の請求項へ改めるための訂正であるので、「他の請求項の記載を引用する請求項の記載を当該他の請求項の記載を引用しないものとすること」に相当する。
　（イ）また、訂正事項４が、明瞭でない記載の釈明も目的とすることについては、上記「ウ（イ）」と同様である。
　（ウ）さらに、訂正事項４が、新たな技術的事項を追加するものでなく、さらに、実質上特許請求の範囲を拡張し、又は変更するものに該当しないことは、上記「ウ（ウ）」と同様である。
　（エ）したがって、訂正事項４は、特許法第１２０条の５第２項ただし書き第３、４号の規定に適合し、特許法第１２０条の５第９項で準用する第１２６条第５、６項の規定に適合する。
オ　訂正事項５について
　（ア）訂正事項５は、訂正前の請求項４が請求項１、２又は３の記載を引用する記載であるところ、訂正前の請求項１を引用するものについて請求項間の引用関係を解消して、独立形式の請求項へ改めるための訂正であるので、「他の請求項の記載を引用する請求項の記載を当該他の請求項の記載を引用しないものとすること」に相当する。
　（イ）また、訂正事項５が、明瞭でない記載の釈明も目的とすることについては、上記「ウ（イ）」と同様である。
　（ウ）さらに、訂正事項５が、新たな技術的事項を追加するものでなく、さらに、実質上特許請求の範囲を拡張し、又は変更するものに該当しないことは、上記「ウ（ウ）」と同様である。
　（エ）したがって、訂正事項５は、特許法第１２０条の５第２項ただし書き第３、４号の規定に適合し、特許法第１２０条の５第９項で準用する第１２６条第５、６項の規定に適合する。
カ　訂正事項６について
　（ア）訂正事項６は、訂正前の請求項４が請求項１、２又は３の記載を引用する記載であるところ、訂正前の請求項２を引用しさらに訂正前の請求項１を引用するものについて請求項間の引用関係を解消して、独立形式の請求項へ改めるための訂正であるので、「他の請求項の記載を引用する請求項の記載を当該他の請求項の記載を引用しないものとすること」に相当する。
　（イ）また、訂正事項６が、明瞭でない記載の釈明も目的とすることについては、上記「ウ（イ）」と同様である。
　（ウ）さらに、訂正事項６が、新たな技術的事項を追加するものでなく、さらに、実質上特許請求の範囲を拡張し、又は変更するものに該当しないことは、上記「ウ（ウ）」と同様である。
　（エ）したがって、訂正事項６は、特許法第１２０条の５第２項ただし書き第３、４号の規定に適合し、特許法第１２０条の５第９項で準用する第１２６条第５、６項の規定に適合する。
キ　訂正事項７について
　（ア）訂正事項７は、訂正前の請求項４が請求項１、２又は３の記載を引用する記載であるところ、訂正前の請求項３を引用しさらに訂正前の請求項１を引用するものについて請求項間の引用関係を解消して、独立形式の請求項へ改めるための訂正であるので、「他の請求項の記載を引用する請求項の記載を当該他の請求項の記載を引用しないものとすること」に相当する。
　（イ）また、訂正事項７が、明瞭でない記載の釈明も目的とすることについては、上記「ウ（イ）」と同様である。
　（ウ）さらに、訂正事項７が、新たな技術的事項を追加するものでなく、さらに、実質上特許請求の範囲を拡張し、又は変更するものに該当しないことは、上記「ウ（ウ）」と同様である。
　（エ）したがって、訂正事項７は、特許法第１２０条の５第２項ただし書き第３、４号の規定に適合し、特許法第１２０条の５第９項で準用する第１２６条第５、６項の規定に適合する。
ク　訂正事項８について
　（ア）訂正事項８は、訂正前の請求項４が請求項１、２又は３の記載を引用する記載であるところ、訂正前の請求項３を引用し訂正前の請求項２を引用し、さらに訂正前の請求項１を引用するものについて請求項間の引用関係を解消して、独立形式の請求項へ改めるための訂正であるので、「他の請求項の記載を引用する請求項の記載を当該他の請求項の記載を引用しないものとすること」に相当する。
　（イ）また、訂正事項８が、明瞭でない記載の釈明も目的とすることについては、上記「ウ（イ）」と同様である。
　（ウ）さらに、訂正事項８が、新たな技術的事項を追加するものでなく、さらに、実質上特許請求の範囲を拡張し、又は変更するものに該当しないことは、上記「ウ（ウ）」と同様である。
　（エ）したがって、訂正事項８は、特許法第１２０条の５第２項ただし書き第３、４号の規定に適合し、特許法第１２０条の５第９項で準用する第１２６条第５、６項の規定に適合する。
ケ　訂正事項９について
　（ア）訂正事項９は、訂正事項３〜８についての上記ウ〜クのそれぞれの（イ）における特許請求の範囲の記載の訂正に整合するように、明細書の記載を訂正するものであるから、明瞭でない記載の釈明を目的とするものに相当する。
　（イ）また、訂正後の「二分割された前記ゲートをロックするためのゲートロックピンが、ゲートを開閉するゲート開閉用吊りハンガーからゲートロックピン吊り下げチェーン
で
　（ウ）したがって、訂正事項８は、特許法第１２０条の５第２項ただし書き第３号の規定に適合し、特許法第１２０条の５第９項で準用する第１２６条第５、６項の規定に適合する。
コ　独立特許要件について　
　訂正前の請求項３及び４は、訂正後に請求項３ないし８とされたもので、特許異議の申立がされていない。
　ここで、訂正されているが異議申立のなされていない請求項に係る独立特許要件に関する、特許法第１２０条の５第９項において準用する同法第１２６条第７項の規定についてみてみる。 
　同法第１２６条第７項中「第１項ただし書第１号又は第２号」とあるのは「特許異議の申立てがされていない請求項に係る第１項ただし書第１号又は第２号」と読み替えるものであり、同第１号は特許請求の範囲の減縮を目的とするものであり、同第２号は誤記又は誤訳の訂正を目的とするものであるところ、訂正事項３ないし９の訂正は明瞭でない記載の釈明、及び、他の請求項の記載を引用する請求項の記載を当該他の請求項の記載を引用しないものとすることを目的とするものであり、特許請求の範囲の減縮を目的とするものでも、誤記又は誤訳の訂正を目的とするものでもない。 
　したがって、訂正事項３ないし８の訂正がなされた訂正後の請求項３ないし８に係る発明について、特許法第１２０条の５第９項で準用する同法第１２６条第７項の規定は適用されないから、独立特許要件の判断を要しない。
サ　一群の請求項について
　本件訂正前の請求項１〜４について、訂正前の請求項２〜４はそれぞれ訂正前の請求項１を直接又は間接的に引用するものであって、請求項１の訂正に連動して訂正されるものであり、本件訂正前の請求項１〜４は一群の請求項である。
　そして、本件訂正請求は、上記一群の請求項について訂正の請求をするものであるから、特許法第１２０条の５第４項の規定に適合する。
　ここで、本件訂正請求は、請求項間の引用関係の解消を目的とするものであり、訂正後の請求項１〜８について別の請求単位とする求めがある。
　また、訂正事項９による訂正は明細書の訂正であるところ、当該明細書の訂正に関連する訂正後の請求項の全てである請求項３〜８について訂正が行われているといえるから、本件訂正は、特許法第１２０条の５第９項で準用する同法第１２６条第４項の規定に適合するものである。
　したがって、特許請求の範囲を、訂正請求書に添付された訂正特許請求の範囲のとおり、請求項１〜８のそれぞれについて訂正することを認める。
シ　本件訂正請求についての結言
　以上のとおりであるから、本件訂正請求による訂正は、請求項１、２について、特許法第１２０条の５第２項ただし書第１号に掲げる事項を目的とし、請求項３〜８について、特許法第１２０条の５第２項ただし書第３，４号に掲げる事項を目的とし、かつ、請求項１〜８について、同条第４項及び第９項において準用する同法第１２６条第４項から第６項までの規定に適合する。 
　よって、訂正後の請求項１〜８のそれぞれについて訂正を認める。 
第３　本件発明 
　本件訂正が認められたので、本件訂正により訂正された請求項３〜８に係る発明は、その特許請求の範囲の請求項３〜８に記載された次の事項により特定されるとおりのものである。（請求項３ないし８に係る発明を、以下、それぞれ「本件発明３」ないし「本件発明８」といい、総称して「本件発明」という。）
　【請求項１】　削除
　【請求項２】　削除
　【請求項３】　電気炉へスクラップを搬送して装入するスクラップバケットであって、バケット本体の下部に二分割により開閉するゲートを備えたスクラップバケットにおいて、
　二分割された前記ゲートをロックするためのゲートロックピンが、ゲートを開閉するゲート開閉用吊りハンガーからゲートロックピン吊り下げチェーンで吊り下げられ、
　前記各ゲートのそれぞれには、ゲートが閉の状態の時に上下に重なるとともに前記ゲートロックピンが挿入されて閉ロックが可能なガイド孔が設けられ、
　前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであり、
　前記ロックピンのガイド孔のうち、上に重ねられたガイド孔の縦断面がすり鉢形のガイド孔であることを特徴とするスクラップバケット。
　【請求項４】　電気炉へスクラップを搬送して装入するスクラップバケットであって、バケット本体の下部に二分割により開閉するゲートを備えたスクラップバケットにおいて、
　二分割された前記ゲートをロックするためのゲートロックピンが、ゲートを開閉するゲート開閉用吊りハンガーからゲートロックピン吊り下げチェーンで吊り下げられ、
　前記各ゲートのそれぞれには、ゲートが閉の状態の時に上下に重なるとともに前記ゲートロックピンが挿入されて閉ロックが可能なガイド孔が設けられ、
　前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであり、
　前記ゲート開閉用吊りハンガーから吊り下げられたゲートロックピン吊り下げチェーンをガイドするガイド孔を有するゲートロックピン吊り下げチェーンガイドが、バケット本体のゲートロックピンが挿入されて閉ロックが可能なガイド孔の直上に設けられ、
　前記ロックピンのガイド孔のうち、上に重ねられたガイド孔の縦断面がすり鉢形のガイド孔であることを特徴とするスクラップバケット。
　【請求項５】　電気炉へスクラップを搬送して装入するスクラップバケットであって、バケット本体の下部に二分割により開閉するゲートを備えたスクラップバケットにおいて、
　二分割された前記ゲートをロックするためのゲートロックピンが、ゲートを開閉するゲート開閉用吊りハンガーからゲートロックピン吊り下げチェーンで吊り下げられ、
　前記各ゲートのそれぞれには、ゲートが閉の状態の時に上下に重なるとともに前記ゲートロックピンが挿入されて閉ロックが可能なガイド孔が設けられ、
　前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであり、
　前記ロックピンの下端に前記ガイド孔にガイドされるガイドチェーンが連結されていることを特徴とするスクラップバケット。
　【請求項６】　電気炉へスクラップを搬送して装入するスクラップバケットであって、バケット本体の下部に二分割により開閉するゲートを備えたスクラップバケットにおいて、
　二分割された前記ゲートをロックするためのゲートロックピンが、ゲートを開閉するゲート開閉用吊りハンガーからゲートロックピン吊り下げチェーンで吊り下げられ、
　前記各ゲートのそれぞれには、ゲートが閉の状態の時に上下に重なるとともに前記ゲートロックピンが挿入されて閉ロックが可能なガイド孔が設けられ、
　前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであり、 
　前記ゲート開閉用吊りハンガーから吊り下げられたゲートロックピン吊り下げチェーンをガイドするガイド孔を有するゲートロックピン吊り下げチェーンガイドが、バケット本体のゲートロックピンが挿入されて閉ロックが可能なガイド孔の直上に設けられ、
　前記ロックピンの下端に前記ガイド孔にガイドされるガイドチェーンが連結されていることを特徴とするスクラップバケット。
　【請求項７】　電気炉へスクラップを搬送して装入するスクラップバケットであって、バケット本体の下部に二分割により開閉するゲートを備えたスクラップバケットにおいて、
　二分割された前記ゲートをロックするためのゲートロックピンが、ゲートを開閉するゲート開閉用吊りハンガーからゲートロックピン吊り下げチェーンで吊り下げられ、
　前記各ゲートのそれぞれには、ゲートが閉の状態の時に上下に重なるとともに前記ゲートロックピンが挿入されて閉ロックが可能なガイド孔が設けられ、
　前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであり、 
　前記ロックピンのガイド孔のうち、上に重ねられたガイド孔の縦断面がすり鉢形のガイド孔であり、
　前記ロックピンの下端に前記ガイド孔にガイドされるガイドチェーンが連結されていることを特徴とするスクラップバケット。
　【請求項８】　電気炉へスクラップを搬送して装入するスクラップバケットであって、バケット本体の下部に二分割により開閉するゲートを備えたスクラップバケットにおいて、
　二分割された前記ゲートをロックするためのゲートロックピンが、ゲートを開閉するゲート開閉用吊りハンガーからゲートロックピン吊り下げチェーンで吊り下げられ、
　前記各ゲートのそれぞれには、ゲートが閉の状態の時に上下に重なるとともに前記ゲートロックピンが挿入されて閉ロックが可能なガイド孔が設けられ、
　前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであり、 
　前記ゲート開閉用吊りハンガーから吊り下げられたゲートロックピン吊り下げチェーンをガイドするガイド孔を有するゲートロックピン吊り下げチェーンガイドが、バケット本体のゲートロックピンが挿入されて閉ロックが可能なガイド孔の直上に設けられ
　前記ロックピンのガイド孔のうち、上に重ねられたガイド孔の縦断面がすり鉢形のガイド孔であり、
　前記ロックピンの下端に前記ガイド孔にガイドされるガイドチェーンが連結されていることを特徴とするスクラップバケット。
第４　異議申立理由及び取消理由の概要　 
　異議申立理由の概要は、本件発明１及び２は、甲第２号証に記載の周知の技術手段を参酌すれば、甲第１号証に記載された発明であり、特許法第２９条第１項第３号に該当し特許を受けることができないものだから、同発明に係る特許は取り消されるべきものである、とする新規性要件違反を主張するものである。
　審判合議体（以下、「当審」という。）は、上記の異議申立理由を採用し、加えて、当審から進歩性要件違反についても、取消理由として通知した。
  
 　＜証拠＞ 
 ○甲第１号証：特開２０００−１１８９４８号公報 
 ○甲第２号証：特開２００９−６２７８０号公報 
第５　当審の判断
　本件特許異議申立は、訂正前の請求項１及び２に係る特許に対するものであるが、上記「第２　訂正請求について」に記したように、訂正前の請求項１及び２は削除された。
　したがって、本件特許異議申立は対象となる請求項が存在しないものとなった。　
　なお、異議申立人は意見書の提出を希望しており、本件は訂正請求のなされたものだから、当審は、異議申立人に本件訂正請求を送付し意見書を提出させるという対応を採ることも考えられる。
　しかしながら、上記のように異議申立がなされた訂正前の請求項１及び２は本件訂正請求により削除されたので、異議申立の目的は達成されたものといえるし、仮に異議申立人が本件訂正請求に不服であったとしても、訂正前の請求項３及び４（訂正後の請求項３〜８）については異議申立する時点で申立の対象請求項と出来たはずであるから、異議申立人に意見書を提出させて訂正前の請求項３及び４（訂正後の請求項３〜８）について新たな異議申立理由を主張させることは、訂正に伴う新たな異議申立理由ではなく、異議申立理由の要旨変更に相当するものとなり妥当ではない。
　したがって、当審は異議申立人に本件訂正請求を送付し意見書を提出させることなく、本異議決定を行うものである。
第６　むすび
　以上のとおりであるから、請求項１及び２に係る特許は訂正により削除されたため、本件特許の請求項１及び２に対する特許異議の申立てについては、対象となる請求項が存在しない。
　したがって、本件特許異議申立は、不適法な特許異議申立であって、その補正をすることができないものであるから、特許法第１２０条の８第１項で準用する特許法第１３５条の規定により却下する。
　よって、結論のとおり決定する。
【異議決定日】
令和１年８月２９日（２０１９．８．２９）
【訂正の要旨】
審決（決定）の【理由】欄参照。
（５４）【発明の名称】
スクラップバケット
　【技術分野】
　【０００１】
　本発明は、製鋼用電気炉へスクラップを搬送して装入するスクラップバケットに関し、特にバケット本体の底部に二分割により開閉するゲートを備えたスクラップバケットに関する。
　【背景技術】
　【０００２】
　電気炉へのスクラップの装入は、スクラップがスクラップバケットと呼ばれる搬送容器に入れられて電気炉上部へ搬送されて投入される（特許文献１、非特許文献１参照）。スクラップバケットは、円筒状のバケット本体の下部に二分割されたゲートを備え、ゲートが両側に開くように回転可能なピン及びレバーで支持されている。
　【０００３】
　図４において、筒状のバケット本体１の底部に、二分割により開閉するゲート２，２がバケット本体１の下端部の外側を包囲するようにして配置されている。バケット本体１の上部に、バケットを吊り下げるための主巻用フック３を引っ掛ける水平のピン４，４が取り付けられている。バケット本体１に、支持ピン５，５を対称的に突設させ、各支持ピン５，５に、ゲート２，２の各上面にＬ字形の吊リンク６の中間部をそれぞれ回動自在に取り付けると共に、各吊リンク６，６の上端同士がそれぞれリンクプレート７を介してピン連結される。
　【０００４】
　ゲート２，２の分割面同士が自重によって密着させられることによって内部に収容させたスクラップを保持させるようにしている。２分割したゲート２，２の外側に固定した各吊ピース８，８に補巻用ワイヤロープ９，９の一端が固定され、補巻用ワイヤロープ９，９の他端がゲート開閉用吊りハンガー１０に固定されている。
　【０００５】
　図５において、ゲート２，２の開き動作は、ゲート２，２に取り付けられた補巻用ワイヤロープ９，９のゲート開閉用吊りハンガー１０を天井クレーンの補巻用フック１１に掛け、クレーンにて巻き上げることで分割構造のゲート２，２が支持ピン５，５を支点として分割面を境に左右方向へ回動して開放される。一方、ゲート２，２の閉動作は、ゲート２，２の自体の重心とゲート２，２の支持位置との関係で補巻用ワイヤロープ９，９を緩めることにより自然に閉まる構造となっている。
　【先行技術文献】
　【特許文献】
　【０００６】
　【特許文献１】特開２００８−１５１３９７号公報
　【非特許文献】
　【０００７】
　【非特許文献１】社団法人日本鉄鋼協会編　「鉄鋼便覧」　第ＩＩ巻『製銑・製鋼』　第３版　第５４１頁　昭和５４年１０月１５日　丸善株式会社発行
　【発明の概要】
　【発明が解決しようとする課題】
　【０００８】
　スクラップバケットにスクラップを入れる場合、スクラップがゲート面全体に入る場合は問題ないが、スクラップが少量の場合などでゲートの合わせ面付近だけに集中した場合、スクラップバケットを吊り上げた際に、ゲートを開く方向に力が働き、支持ピンと重心の関係によってゲートが開いてスクラップが落下してしまうという問題があった。
　【０００９】
　前記のゲートの開き防止のためにスクラップをスクラップバケットに入れる前にゲート開き防止用のゲートロックピンを差し込む等が考えられるが、そうすると電気炉上は作業者が近寄れる場所ではないので容易にロック解除ができない。また、ゲートロックピンを駆動装置で動作させ遠隔操作でロック解除する方法も考えられるが、この場合、駆動のための設備が必要になるだけでなく複雑になるという課題があった。
　【００１０】
　そこで、本発明は、スクラップバケットのゲートが不要の時に開くのを防止することができるようにゲートにゲートロックピンが容易にセット可能であるとともに、ロック解除の際に特別な装置を必要とせずに電気炉上で容易にロック解除ができる構造を有するスクラップバケットを提供するものである。
　【課題を解決するための手段】
　【００１１】
　本発明のスクラップバケットは、電気炉へスクラップを搬送して装入するスクラップバケットであって、バケット本体の下部に二分割により開閉するゲートを備えたスクラップバケットにおいて、二分割された前記ゲートをロックするためのゲートロックピンが、ゲートを開閉するゲート開閉用吊りハンガーからゲートロックピン吊り下げチェーン
で
　【００１２】
　前記構成において、前記ゲート開閉用吊りハンガーから吊り下げられたゲートロックピン吊り下げチェーンをガイドするガイド孔を有するゲートロックピン吊り下げチェーンガイドを、バケット本体のゲートロックピンが挿入されて閉ロックが可能なガイド孔の直上に設けたり、前記ガイド孔のうち、上に重ねられたガイド孔を縦断面がすり鉢形のガイド孔に形成したり、前記ロックピンの下端に前記ガイド孔にガイドされるガイドチェーンを連結したりしてもよい。
　【発明の効果】
　【００１３】
　本発明により、ゲートを開く際、ゲート開閉用吊りハンガーを巻き上げるとゲートが開く直前にゲートロックピンがガイドから抜け、その後、ゲートが開きゲート開閉用吊りハンガーを下げるとゲートが閉まった後にゲートロックピンがピンガイドに挿入されゲートがロックされる。したがって、従来のゲート開閉操作と同じ操作だけで、容易にゲートのロック・ロック解除が可能となる。
　【００１４】
　本発明は、少量のスクラップ装入時にスクラップバケットを吊り上げてもゲートが開かないようゲートにゲートロックピンを容易に挿入できるとともに、特別な装置は必要とせずに電気炉上で容易にロック解除ができる構造の電気炉スクラップバケットを提供するものである。
　【図面の簡単な説明】
　【００１５】
　【図１】（ａ）は本発明のスクラップバケットの正面概略図、（ｂ）は同側面概略図である。
　【図２】（ａ）は本発明のスクラップバケットのゲートロックピンガイド、（ｂ）はゲートロックピンガイドとゲートロックピンを示す概略側面図である。
　【図３】（ａ）は本発明のスクラップバケットのゲートを開いた状態を示す正面概略図、（ｂ）は同側面概略図である。
　【図４】（ａ）は従来のスクラップバケットの正面概略図、（ｂ）は同側面概略図である。
　【図５】（ａ）は従来のスクラップバケットのゲートを開いた状態を示す正面概略図、（ｂ）は同側面概略図である。
　【発明を実施するための形態】
　【００１６】
　本発明の実施例について、図を参照しながら説明する。
　【実施例】
　【００１７】
　図１において、本発明のスクラップバケットのバケット本体、ゲート及びゲートの開閉構造は、図４に示す従来のスクラップバケットと同じであり、同じ部材には同一の符号を付している。
　【００１８】
　図１において、筒状のバケット本体１の底部に、下部が左右に開く２分割構造の皿状のゲート２，２がバケット本体１の下端部の外側を包囲するようにして配置されている。バケット本体１の上部には、主巻用フック３を引っ掛けるための水平のピン４，４が取り付けられている。バケット本体１に、２本の支持ピン５，５を対称的に突設させ、各支持ピン５，５に、各ゲート２，２の各上面にＬ字形の吊リンク６の中間部をそれぞれ回動自在に取り付けるとともに、吊リンク６，６の上端同士がそれぞれリンクプレート７を介してピン連結される。
　【００１９】
　２分割した各ゲート２，２の外側に固定した吊ピース８，８に補巻用ワイヤロープ９の一端を結着させ、補巻用ワイヤロープ９の他端をゲート開閉用吊りハンガー１０に固定する。ゲート開閉用吊りハンガー１０を補巻用フック１１に掛けてクレーンにて巻き上げることにより、分割構造のゲート２，２が支持ピン５，５を支点として分割面を境に左右方向へ回動して開放されるようにしてある。
　【００２０】
　補巻用ワイヤロープ９のゲート開閉用吊りハンガー１０にはゲートロックピン吊り下げチェーン１２の一端が固定されており、ゲートロックピン吊り下げチェーン１２はバケット本体１に固定されたチェーンガイド１３のガイド孔１４にガイドされて自重により垂下している。ゲートロックピン吊り下げチェーン１２の下方にはゲート２をロックするゲートロックピン１５がゲートロックピン吊り下げチェーン１２の長さ方向の垂直軸線上に沿って取り付けられる。
　【００２１】
　ゲートロックピン１５は、両側のゲート２，２のそれぞれの合わせ面の上部に設けられたゲートロックピン用ガイド１６，１８をゲート２，２の開閉時に出入り自在の位置に取り付けられている。ゲートロックピン用ガイド１６，１８は、ゲート２，２が閉まっている状態では重なり、上側のゲートロックピン用ガイド１６には上下が開放された縦断面がすり鉢形のガイド孔１９が形成され、下側のゲートロックピン用ガイド１８には上側のゲートロックピン用ガイド１６のガイド１９に一致するガイド孔２０が形成されている。
　【００２２】
　ゲートロックピン吊り下げチェーン１２の長さは、ゲート２，２を閉じた状態の時、ゲートロックピン１５がゲートロックピン用ガイド１６，１８に挿入された状態で停止する長さとするとともに、ゲート開閉用吊りハンガー１０を巻き上げた際にゲート２，２が開く直前にゲートロックピン１５が前記ガイド孔１９，２０から抜けてロック解除される長さにする。
　【００２３】
なお、ゲートロックピン１５の下端にはさらにゲートロックピン１５をゲートロックピン用ガイド１６，１８に確実にガイドするため、ガイドチェーン１７を連結してもよい。
　【００２４】
　ゲートロックピン用ガイド１６，１８のガイド孔１９，２０には、ゲート２，２が閉まっている状態では、ゲートロックピン１５が位置し、ゲート２が開いた状態では、ゲートロックピン１５が上方に抜かれており且つゲートロックピン１５の下端に垂れているガイドチェーン１７がガイドされ垂下している。
　【００２５】
　次に、ゲート２，２の開閉動作について説明する。
　【００２６】
　ゲート２を閉じた状態では、ゲート開閉用吊りハンガー１０が下がってゲートロックピン１５がゲートロックピン用ガイド１６，１８に挿入された位置に停止してゲート２がロックされる。この状態で、所定量のスクラップをスクラップバケット内に投入した後、主巻用フック３をピン４に掛けてスクラップバケットを支持し、電気炉の上部へ搬送する。
　【００２７】
　電気炉の上部に達すると、事前にゲート開閉用吊りハンガー１０に掛けていた補巻用フック１１を巻き上げると、ゲートロックピン吊り下げチェーン１２が引っ張られてゲートロックピン１５がゲートロックピン用ガイド１６，１８から抜けてロックが解除され、さらに補巻用ワイヤロープ９が引っ張られてゲートが開く。
　【００２８】
　電気炉にスクラップを装入後、ゲート開閉用吊りハンガー１０を下げていくと、ゲート２，２が自重で閉じられる。ゲート開閉用吊りハンガー１０を下げていく際に、ゲートロックピン吊り下げチェーン１２はチェーンガイド１３のガイド孔１４にガイドされて自重により垂下し、この垂下にともなってゲートロックピン用ガイド１６，１８のガイド孔１９，２０から抜けているゲートロックピン１５はガイド孔１９，２０へ挿入されてゲート２，２がロックされる。ゲートロックピン１５にガイドチェーン１７が取り付けられている場合には、ガイドチェーン１７がガイド孔１９，２０にガイドされてゲートロックピン１５がガイド孔１９，２０に確実に挿入されてゲート２がロックされる。
　【符号の説明】
　【００２９】
　１：バケット本体
　２：ゲート
　３：主巻用フック
　４：ピン
　５：支持ピン
　６：吊リンク
　７：リンクプレート
　８：吊ピース
　９：補巻用ワイヤロープ
１０：ゲート開閉用吊りハンガー
１１：補巻用フック
１２：ゲートロックピン吊り下げチェーン
１３：ゲートロックピン吊り下げチェーンガイド
１４：ガイド孔
１５：ゲートロックピン
１６：ゲートロックピン用ガイド
１７：ガイドチェーン
１８：ゲートロックピン用ガイド
１９：すり鉢形のガイド孔
２０：ガイド孔
（５７）【特許請求の範囲】
　【請求項１】　削除
　【請求項２】　削除
　【請求項３】
　電気炉へスクラップを搬送して装入するスクラップバケットであって、バケット本体の下部に二分割により開閉するゲートを備えたスクラップバケットにおいて、
　二分割された前記ゲートをロックするためのゲートロックピンが、ゲートを開閉するゲート開閉用吊りハンガーからゲートロックピン吊り下げチェーンで吊り下げられ、
　前記各ゲートのそれぞれには、ゲートが閉の状態の時に上下に重なるとともに前記ゲートロックピンが挿入されて閉ロックが可能なガイド孔が設けられ、
　
前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであり、
　前記ロックピンのガイド孔のうち、上に重ねられたガイド孔の縦断面がすり鉢形のガイド孔であることを特徴とするスクラップバケット。
　【請求項４】
　
電気炉へスクラップを搬送して装入するスクラップバケットであって、バケット本体の下部に二分割により開閉するゲートを備えたスクラップバケットにおいて、
　二分割された前記ゲートをロックするためのゲートロックピンが、ゲートを開閉するゲート開閉用吊りハンガーからゲートロックピン吊り下げチェーンで吊り下げられ、
　前記各ゲートのそれぞれには、ゲートが閉の状態の時に上下に重なるとともに前記ゲートロックピンが挿入されて閉ロックが可能なガイド孔が設けられ、
　前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであり、
　
前記ゲート開閉用吊りハンガーから吊り下げられたゲートロックピン吊り下げチェーンをガイドするガイド孔を有するゲートロックピン吊り下げチェーンガイドが、バケット本体のゲートロックピンが挿入されて閉ロックが可能なガイド孔の直上に設けられ、
　
前記ロックピンのガイド孔のうち、上に重ねられたガイド孔の縦断面がすり鉢形のガイド孔である
　【請求項５】
　
電気炉へスクラップを搬送して装入するスクラップバケットであって、バケット本体の下部に二分割により開閉するゲートを備えたスクラップバケットにおいて、
　二分割された前記ゲートをロックするためのゲートロックピンが、ゲートを開閉するゲート開閉用吊りハンガーからゲートロックピン吊り下げチェーンで吊り下げられ、
　前記各ゲートのそれぞれには、ゲートが閉の状態の時に上下に重なるとともに前記ゲートロックピンが挿入されて閉ロックが可能なガイド孔が設けられ、
　前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであり、
　
前記ロックピンの下端に前記ガイド孔にガイドされるガイドチェーンが連結されていることを特徴とするスクラップバケット。
　【請求項６】
　
電気炉へスクラップを搬送して装入するスクラップバケットであって、バケット本体の下部に二分割により開閉するゲートを備えたスクラップバケットにおいて、
　二分割された前記ゲートをロックするためのゲートロックピンが、ゲートを開閉するゲート開閉用吊りハンガーからゲートロックピン吊り下げチェーンで吊り下げられ、
　前記各ゲートのそれぞれには、ゲートが閉の状態の時に上下に重なるとともに前記ゲートロックピンが挿入されて閉ロックが可能なガイド孔が設けられ、
　前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであり、
　
前記ゲート開閉用吊りハンガーから吊り下げられたゲートロックピン吊り下げチェーンをガイドするガイド孔を有するゲートロックピン吊り下げチェーンガイドが、バケット本体のゲートロックピンが挿入されて閉ロックが可能なガイド孔の直上に設けられ、
　
前記ロックピンの下端に前記ガイド孔にガイドされるガイドチェーンが連結されていることを特徴とするスクラップバケット
　【請求項７】
　
電気炉へスクラップを搬送して装入するスクラップバケットであって、バケット本体の下部に二分割により開閉するゲートを備えたスクラップバケットにおいて、
　二分割された前記ゲートをロックするためのゲートロックピンが、ゲートを開閉するゲート開閉用吊りハンガーからゲートロックピン吊り下げチェーンで吊り下げられ、
　前記各ゲートのそれぞれには、ゲートが閉の状態の時に上下に重なるとともに前記ゲートロックピンが挿入されて閉ロックが可能なガイド孔が設けられ、
　前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであり、
　
前記ロックピンのガイド孔のうち、上に重ねられたガイド孔の縦断面がすり鉢形のガイド孔であり、
　
前記ロックピンの下端に前記ガイド孔にガイドされるガイドチェーンが連結されていることを特徴とするスクラップバケット。
　【請求項８】
　
電気炉へスクラップを搬送して装入するスクラップバケットであって、バケット本体の下部に二分割により開閉するゲートを備えたスクラップバケットにおいて、
　二分割された前記ゲートをロックするためのゲートロックピンが、ゲートを開閉するゲート開閉用吊りハンガーからゲートロックピン吊り下げチェーンで吊り下げられ、
　前記各ゲートのそれぞれには、ゲートが閉の状態の時に上下に重なるとともに前記ゲートロックピンが挿入されて閉ロックが可能なガイド孔が設けられ、
　前記チェーンの長さは、ゲート開閉用吊りハンガーを巻き上げた際にゲートが開く直前にゲートロックピンがその長さ方向上方に引っ張られることによって前記ガイド孔から抜けてロック解除される長さであり且つゲートが閉まる際にゲートが閉まった後にロックピンが前記ガイド孔に挿入される長さであり、
　
前記ゲート開閉用吊りハンガーから吊り下げられたゲートロックピン吊り下げチェーンをガイドするガイド孔を有するゲートロックピン吊り下げチェーンガイドが、バケット本体のゲートロックピンが挿入されて閉ロックが可能なガイド孔の直上に設けられ、
　
前記ロックピンのガイド孔のうち、上に重ねられたガイド孔の縦断面がすり鉢形のガイド孔であり、
　
前記ロックピンの下端に前記ガイド孔にガイドされるガイドチェーンが連結されていることを特徴とするスクラップバケット。